(57)【要約】【課題】ユーザがＷＥＢサイト等からコンテンツを探すことなく、ユーザの嗜好に合致するコンテンツを携帯通信端末に配信する。【解決手段】コンテンツ受信装置１００の送信部１０３は、ユーザの属性を示すプロフィール情報をサーバ装置２００に送信する。次に、サーバ装置２００の取得部２０５は、マイニング情報記憶部２０２から受信部２０１が受信したプロフィール情報に基づいてコンテンツを取得し、送信部２０７は、コンテンツ受信装置１００に取得したコンテンツを送信する。【選択図】図１
2010204738.tif 000002
【特許請求の範囲】
【請求項１】
コンテンツ受信装置と前記コンテンツ受信装置にコンテンツを送信するサーバ装置とを備えるコンテンツ推薦システムであって、
前記コンテンツ受信装置は、
ユーザから、ユーザの属性を示すプロフィール情報の入力を受け付ける入力手段と、
前記入力手段が入力を受け付けたプロフィール情報を前記サーバ装置に送信するプロフィール送信手段と、
前記サーバ装置から前記コンテンツを受信する推薦コンテンツ受信手段と、
を備え、
前記サーバ装置は、
前記プロフィール情報と前記コンテンツとを対応させて記憶する記憶手段と、
前記コンテンツ受信装置から前記プロフィール情報を受信するプロフィール受信手段と、
前記プロフィール受信手段が受信したプロフィール情報に基づいて前記記憶手段から前記コンテンツを取得するコンテンツ取得手段と、
前記コンテンツ受信装置に前記コンテンツを送信する推薦コンテンツ送信手段と、
を備えることを特徴とするコンテンツ推薦システム。
【請求項２】
前記サーバ装置は、
前記コンテンツ取得手段が取得した前記コンテンツに基づいて前記コンテンツの一覧情報を生成する一覧情報生成手段と、
前記一覧情報生成手段が生成した一覧情報を前記コンテンツ受信装置に送信する一覧情報送信手段と、
を備え、
前記コンテンツ受信装置は、
前記サーバ装置が送信する前記一覧情報を受信する一覧情報受信手段を備え、
前記コンテンツ受信装置の前記推薦コンテンツ受信手段は、前記一覧情報受信手段が受信した一覧情報に含まれるコンテンツの中からユーザの選択に従って前記コンテンツを受信する、
ことを特徴とする請求項１に記載のコンテンツ推薦システム。
【請求項３】
前記コンテンツ受信装置は、
前記入力手段が入力を受け付けたプロフィール情報に基づいて、動作対象の動作を制御するための動作データを生成する生成手段と、
前記生成手段が生成した動作データに基づいて、前記一覧情報受信手段が受信した一覧情報に含まれるコンテンツを推薦するメッセージを前記動作対象に付随させて表示する表示手段と、
を備えることを特徴とする請求項２に記載のコンテンツ推薦システム。
【請求項４】
前記サーバ装置は、
前記コンテンツ取得手段が取得した前記コンテンツに基づいて前記コンテンツの一覧情報を生成する一覧情報生成手段と、
前記一覧情報生成手段が生成した一覧情報を前記コンテンツ受信装置に送信する一覧情報送信手段と、
を備え、
前記コンテンツ受信装置は、
前記サーバ装置が送信する前記一覧情報を受信する一覧情報受信手段と、
前記コンテンツを記憶するコンテンツ記憶手段と、
前記コンテンツ記憶手段から、前記一覧情報受信手段が受信した一覧情報に含まれないコンテンツを削除するコンテンツ削除手段と、
を備え、
前記コンテンツ受信装置の前記推薦コンテンツ受信手段は、前記一覧情報受信手段が受信した一覧情報に含まれ、かつ前記コンテンツ記憶手段が記憶していないコンテンツを受信する、
ことを特徴とする請求項１に記載のコンテンツ推薦システム。
【請求項５】
前記プロフィール情報は、複数の属性要素の組み合わせによって表現され、
前記サーバ装置は、前記記憶手段が記憶する前記プロフィール情報に含まれる少なくとも１つの前記属性要素と前記コンテンツとの組み合わせの個数が所定の閾値以上となるパターンを抽出するパターン抽出手段を備え、
前記コンテンツ取得手段は、前記パターン抽出手段が抽出したパターンの中から、当該パターンの属性要素と前記プロフィール受信手段が受信したプロフィール情報に含まれる属性要素とが合致するパターンを抽出し、当該パターンが示す前記コンテンツを取得する、
ことを特徴とする請求項１から請求項４のいずれか１項に記載のコンテンツ推薦システム。
【請求項６】
前記コンテンツ受信装置は、
ユーザの操作によって前記コンテンツを受信する所望コンテンツ受信手段と、
前記所望コンテンツ受信手段が受信したコンテンツと前記プロフィール情報との組み合わせを前記サーバ装置に送信する組み合わせ情報送信手段と、
を備え、
前記サーバ装置は、
前記コンテンツ受信装置から前記コンテンツと前記プロフィール情報との組み合わせを受信する組み合わせ情報受信手段と、
前記組み合わせ情報受信手段が受信した組み合わせ情報を前記記憶手段に登録する組み合わせ情報登録部と、
を備えることを特徴とする請求項１から請求項５のいずれか１項に記載のコンテンツ推薦システム。
【請求項７】
コンテンツ受信装置と前記コンテンツ受信装置にコンテンツを送信するサーバ装置とを備えるコンテンツ推薦システムを用いたコンテンツ推薦方法であって、
前記コンテンツ受信装置の入力手段は、ユーザからユーザの属性を示すプロフィール情報の入力を受け付け、
前記コンテンツ受信装置のプロフィール送信手段は、前記入力手段が入力を受け付けたプロフィール情報を前記サーバ装置に送信し、
前記サーバ装置のプロフィール受信手段は、前記コンテンツ受信装置から前記プロフィール情報を受信し、
前記サーバ装置のコンテンツ取得手段は、前記プロフィール情報と前記コンテンツとを対応させて記憶する記憶手段から前記プロフィール受信手段が受信したプロフィール情報に基づいて前記コンテンツを取得し、
前記サーバ装置の推薦コンテンツ送信手段は、前記コンテンツ受信装置に前記コンテンツを送信し、
前記コンテンツ受信装置の推薦コンテンツ受信手段は、前記サーバ装置から前記コンテンツを受信する、
ことを特徴とするコンテンツ推薦方法。
【発明の詳細な説明】
【技術分野】
【０００１】
本発明は、コンテンツ受信装置とコンテンツを送信するサーバ装置とを備えるコンテンツ推薦システム及びコンテンツ推薦方法に関する。
【背景技術】
【０００２】
近年、携帯通信端末の普及及び技術の発展に伴い、携帯通信端末によって取り扱うことができるコンテンツが増加している。例えば、着信メロディ、静止画、動画、ＷＥＢサイト、アプリケーション、及びその他のコンテンツを携帯通信端末によって取り扱うことができる。
【０００３】
従来、これらのコンテンツは携帯通信端末に予め搭載されていることが多く、これによってユーザは携帯通信端末の購入後にＷＥＢサイトの中からコンテンツを取得せずに携帯通信端末を用いてコンテンツを楽しむことができる。
【０００４】
また、予め搭載されているコンテンツ以外のコンテンツは、インターネット等を介してコンテンツプロバイダのサーバ装置等から受信することができる（例えば、特許文献１、非特許文献１を参照）。
【先行技術文献】
【特許文献】
【０００５】
【特許文献１】特開２００２−１８２６５８号公報
【非特許文献】
【０００６】
【非特許文献１】“アプリ★ゲット”、［online］、スパイシーソフト、［２００９年２月２日検索］、インターネット〈URL:http://appget.com/〉
【発明の概要】
【発明が解決しようとする課題】
【０００７】
しかしながら、携帯通信端末に予め搭載されているコンテンツは、端末メーカーや通信事業者毎に異なっており、各ユーザが所望するコンテンツが購入時から搭載されているとは限らず、ユーザが携帯通信端末の購入後に任意で大量にあるＷＥＢサイトの中からコンテンツを探し出す必要があった。
【０００８】
予め搭載されているコンテンツの量を増やすことで、ユーザの所望するコンテンツが購入時から搭載されていないという可能性を低減することも可能ではあるが、コンテンツの量を増やすほど、予め搭載されているコンテンツの中から所望のコンテンツを探し出すことが困難になり、さらに携帯通信端末の記憶容量を大量に必要とする。
【０００９】
本発明は上記の点に鑑みてなされたものであり、その目的は、ユーザがＷＥＢサイト等からコンテンツを探すことなく、ユーザの嗜好に合致するコンテンツをコンテンツ受信装置（携帯通信端末）に配信するコンテンツ推薦システムを提供することにある。
【課題を解決するための手段】
【００１０】
本発明は上記の課題を解決するためになされたものであり、コンテンツ受信装置と前記コンテンツ受信装置にコンテンツを送信するサーバ装置とを備えるコンテンツ推薦システムであって、前記コンテンツ受信装置は、ユーザから、ユーザの属性を示すプロフィール情報の入力を受け付ける入力手段と、前記入力手段が入力を受け付けたプロフィール情報を前記サーバ装置に送信するプロフィール送信手段と、前記サーバ装置から前記コンテンツを受信する推薦コンテンツ受信手段と、を備え、前記サーバ装置は、前記プロフィール情報と前記コンテンツとを対応させて記憶する記憶手段と、前記コンテンツ受信装置から前記プロフィール情報を受信するプロフィール受信手段と、前記プロフィール受信手段が受信したプロフィール情報に基づいて前記記憶手段から前記コンテンツを取得するコンテンツ取得手段と、前記コンテンツ受信装置に前記コンテンツを送信する推薦コンテンツ送信手段と、を備えることを特徴とする。
【００１１】
また、本発明は、コンテンツ受信装置と前記コンテンツ受信装置にコンテンツを送信するサーバ装置とを備えるコンテンツ推薦システムを用いたコンテンツ推薦方法であって、前記コンテンツ受信装置の入力手段は、ユーザからユーザの属性を示すプロフィール情報の入力を受け付け、前記コンテンツ受信装置のプロフィール送信手段は、前記入力手段が入力を受け付けたプロフィール情報を前記サーバ装置に送信し、前記サーバ装置のプロフィール受信手段は、前記コンテンツ受信装置から前記プロフィール情報を受信し、前記サーバ装置のコンテンツ取得手段は、前記プロフィール情報と前記コンテンツとを対応させて記憶する記憶手段から前記プロフィール受信手段が受信したプロフィール情報に基づいて前記コンテンツを取得し、前記サーバ装置の推薦コンテンツ送信手段は、前記コンテンツ受信装置に前記コンテンツを送信し、前記コンテンツ受信装置の推薦コンテンツ受信手段は、前記サーバ装置から前記コンテンツを受信する、ことを特徴とする。
【発明の効果】
【００１２】
本発明によれば、サーバ装置のコンテンツ取得手段が、ユーザが入力したプロフィール情報に基づいてコンテンツ受信装置に送信するコンテンツを取得するので、サーバ装置は、ユーザの嗜好に合致するコンテンツをコンテンツ受信装置に送信することができる。
【図面の簡単な説明】
【００１３】
【図１】本発明の一実施形態によるコンテンツ推薦システムの構成を示す概略ブロック図である。
【図２】コンテンツ推薦システムの動作を示すシーケンス図である。
【発明を実施するための形態】
【００１４】
以下、図面を参照しながら本発明の実施形態について詳しく説明する。
図１は、本発明の一実施形態によるコンテンツ推薦システムの構成を示す概略ブロック図である。
コンテンツ推薦システムは、携帯通信端末１００（コンテンツ受信装置）とサーバ装置２００とを備える。携帯通信端末１００とサーバ装置２００とはネットワーク等を介して接続されている。また、ここでコンテンツとは、例えば、着信メロディ、静止画、動画、ＷＥＢサイト、アプリケーション等、携帯通信端末１００によって取り扱うことができる情報を示す。
携帯通信端末１００は、入力部１０１（入力手段）と、プロフィール記憶部１０２と、送信部１０３（プロフィール送信手段）と、キャラクター生成部１０４（生成手段）と、キャラクター記憶部１０５と、受信部１０６（推薦コンテンツ受信手段、一覧情報受信手段、コンテンツ削除手段）と、表示部１０７（表示手段）と、コンテンツ記憶部１０８（コンテンツ記憶手段）とを備える。
入力部１０１は、ユーザから情報の入力を受け付ける。
プロフィール記憶部１０２は、年齢、性別、趣味、嗜好等のユーザの属性を示すプロフィール情報を記憶する。なお、プロフィール情報は、複数の属性要素の組み合わせによって表現される。
送信部１０３は、情報をサーバ装置２００に送信する。
キャラクター生成部１０４は、プロフィール情報に基づいてキャラクターを生成する。
キャラクター記憶部１０５は、生成したキャラクターの情報を記憶する。
受信部１０６は、サーバ装置２００から情報を受信する。
表示部１０７は、図示しない画面に情報を表示させる。
コンテンツ記憶部１０８は、サーバ装置２００から受信したコンテンツを記憶する。
【００１５】
サーバ装置２００は、受信部２０１（プロフィール受信手段）と、マイニング情報記憶部２０２（記憶手段）と、パターン抽出部２０３と、コンテンツ記憶部２０４と、取得部２０５（コンテンツ取得手段）と、一覧生成部２０６（一覧情報生成手段）と、送信部２０７（コンテンツ送信手段、一覧情報送信手段）とを備える。
受信部２０１は、携帯通信端末１００から情報を受信する。
マイニング情報記憶部２０２は、プロフィール情報とコンテンツの情報とを関連付けて記憶する。
パターン抽出部２０３は、マイニング情報記憶部２０２が記憶する情報の中から頻出するパターンを抽出する。
コンテンツ記憶部２０４は、コンテンツを記憶する。
取得部２０５は、コンテンツ記憶部２０４からコンテンツを取得する。
一覧生成部２０６は、携帯通信端末１００に送信するコンテンツの一覧情報を生成する。
送信部２０７は、携帯通信端末１００に情報を送信する。
【００１６】
そして、コンテンツ推薦システムにおいては、コンテンツ受信装置１００の入力部１０１がユーザの属性を示すプロフィール情報の入力を受け付け、送信部１０３がプロフィール情報をサーバ装置２００に送信する。次に、サーバ装置２００の受信部２０１は、コンテンツ受信装置１００からプロフィール情報を受信し、取得部２０５は、マイニング情報記憶部２０２から受信部２０１が受信したプロフィール情報に基づいてコンテンツを取得し、送信部２０７は、コンテンツ受信装置１００に取得部２０５が取得したコンテンツを送信する。そして、コンテンツ受信装置１００の受信部１０６は、サーバ装置２００からコンテンツを受信する。
これにより、サーバ装置２００は、ユーザの嗜好に合致するコンテンツをコンテンツ受信装置１００に送信する。
【００１７】
次に、コンテンツ推薦システムの動作を説明する。
図２は、コンテンツ推薦システムの動作を示すシーケンス図である。
まず、ユーザが携帯通信端末１００の設定画面より、コンテンツを受信することを示す情報を入力すると、携帯通信端末１００の入力部１０１は、ユーザのプロフィール情報の入力を受け付ける（ステップＳ１）。例えば具体的には、入力部１０１は、年齢、性別、職業、住所、家族構成の入力を受け付け、さらに、音楽、ファッション、映画、ゲーム、漫画、カラオケ、テレビ、ペット、ギャンブル、子育て、その他の趣味分野のうちユーザが興味のある分野の取得を受け付ける。入力部１０１は、興味のある分野の選択を受け付けると、選択を受け付けた分野について、具体的に好きな内容の入力を受け付ける。また、入力部１０１は、性格、顔写真画像の入力を受け付ける。入力部１０１が入力を受け付けたこれらの情報をプロフィール情報とする。
【００１８】
入力部１０１は、プロフィール情報の入力を受け付けると、入力を受け付けたプロフィール情報をプロフィール記憶部１０２に登録する（ステップＳ２）。入力部１０１がプロフィール情報をプロフィール情報記憶部１０２に登録すると、キャラクター生成部１０４は、入力部１０１が入力を受け付けたプロフィール情報に基づいて、ユーザのプロフィール情報を反映したキャラクターを生成する（ステップＳ３）。例えば具体的には、キャラクター生成部１０４は、プロフィール情報として入力を受け付けた顔写真画像に基づいてキャラクターの顔を生成する。また、入力を受け付けた性格に基づいてキャラクターの口調等を決定する。
キャラクター生成部１０４は、キャラクターを生成すると、キャラクター記憶部１０５にキャラクターの情報を登録する（ステップＳ４）。
【００１９】
次に、送信部１０３は、プロフィール情報記憶部１０２が記憶するプロフィール情報をサーバ装置２００に送信する（ステップＳ５）。
携帯通信端末１００がプロフィール情報をサーバ装置２００に送信すると、サーバ装置２００の受信部２０１は、携帯通信端末１００からプロフィール情報を受信する（ステップＳ６）。
【００２０】
受信部２０１がプロフィール情報を受信すると、パターン抽出部２０３は、マイニング情報記憶部２０２が記憶するプロフィール情報とコンテンツの情報との組み合わせの情報の中から、プロフィール情報に含まれる属性要素（年齢、性別、趣味、嗜好等）とコンテンツの情報との組み合わせの個数が所定の閾値以上となるパターンを抽出する（ステップＳ７）。所定の閾値は、例えば、マイニング情報記憶部２０２が記憶する組み合わせの数の１パーセントに相当する数とする。
これにより、プロフィール情報とコンテンツとを関連付けるルールを抽出することができる。ルールの例としては、プロフィール情報の属性要素に「性別：女性」、「趣味：子育て」を含むユーザは、「子育て日記アプリケーション」をダウンロードすることが多い、などが挙げられる。
【００２１】
次に、取得部２０５は、パターン抽出部２０３が抽出したパターンの中から、受信部２０１が受信したプロフィール情報に該当するパターンを取得する（ステップＳ８）。取得部２０５がパターンを取得すると、一覧生成部２０６は、取得部２０５が取得したパターンに含まれるコンテンツの情報に基づいて、コンテンツの一覧情報を生成する（ステップＳ９）。
一覧生成部２０６が一覧情報を生成すると、送信部２０７は、携帯通信端末１００に一覧情報を送信する（ステップＳ１０）。
【００２２】
サーバ装置２００が一覧情報を携帯通信端末１００に送信すると、携帯通信端末１００の受信部１０６は、サーバ装置２００から一覧情報を受信する（ステップＳ１１）。
受信部１０６が一覧情報を受信すると、表示部１０７は、キャラクター記憶部１０５が記憶するキャラクターの情報に基づいて、受信部１０６が受信した一覧情報に含まれるコンテンツを推薦するメッセージを、キャラクターに付随させて表示する（ステップＳ１２）。このとき、コンテンツを推薦するメッセージは、キャラクター生成部１０４が決定したキャラクターの口調に基づいて生成される。
【００２３】
表示部１０７が一覧情報を表示すると、入力部１０１は、一覧情報が示すコンテンツの中から受信するコンテンツを選択する選択情報の入力を受け付ける（ステップＳ１３）。入力部１０１が選択情報の入力を受け付けると、送信部１０３は、選択情報をサーバ装置２００に送信する（ステップＳ１４）。
【００２４】
携帯通信端末１００が選択情報をサーバ装置２００に送信すると、サーバ装置２００の受信部２０１は、携帯通信端末１００から選択情報を受信する（ステップＳ１５）。
受信部２０１が選択情報を受信すると、取得部２０５は、コンテンツ記憶部２０４から選択情報が示すコンテンツを取得する（ステップＳ１６）。取得部２０５がコンテンツを取得すると、送信部２０７は、取得したコンテンツを携帯通信端末１００に送信する（ステップＳ１７）。
【００２５】
サーバ装置２００が携帯通信端末１００にコンテンツを送信すると、携帯通信端末１００の受信部１０６は、サーバ装置２００からコンテンツを受信する（ステップＳ１８）。受信部１０６は、コンテンツを受信すると、受信したコンテンツをコンテンツ記憶部１０８に登録する（ステップＳ１９）。
【００２６】
また、サーバ装置２００は、ステップＳ１７でコンテンツを送信すると、携帯通信端末１００のプロフィール情報と、送信したコンテンツの情報とを関連付けてマイニング情報記憶部２０２に登録する（ステップＳ２０）。これにより、マイニング情報記憶部２０２に最新の情報を追加することができる。
【００２７】
なお、上述した処理手順は、初回の通信の際に実行されるものであり、２回目以降の通信では、プロフィール記憶部１０２がプロフィール情報を記憶し、キャラクター記憶部がキャラクターの情報を記憶しているため、ステップＳ１〜ステップＳ４を省略して実行することができる。
【００２８】
このように、本実施形態によれば、携帯通信端末１００には、ユーザのプロフィール情報に合致するコンテンツの一覧が送信され、携帯通信端末１００は、ユーザの選択により、一覧に記載されたコンテンツを受信する。これにより、ユーザがＷＥＢサイト等からコンテンツを探すことなく、ユーザの嗜好に合致するコンテンツを携帯通信端末１００に配信することができる。
【００２９】
また、本実施形態によれば、キャラクターに付随させてコンテンツの推薦を表示することで、ユーザの性格、見た目を反映したキャラクターがコンテンツを推薦しているように見せることができる。これにより、コンテンツの推薦にエンターテインメント性を付帯させることができる。
【００３０】
また、本実施形態によれば、マイニング情報記憶部２０２が記憶する情報の中からパターン抽出部２０３が頻出のパターンを抽出することで推薦するコンテンツを決定する。これにより、サーバ装置２００の管理者は、プロフィール情報とコンテンツとを手作業によって関連付ける必要を無くすことができる。
【００３１】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、プロフィール情報を携帯通信端末１００が記憶する場合を説明したが、これに限られず、例えば携帯通信端末１００が生成したプロフィール情報をサーバ装置２００に送信してサーバ装置２００が記憶しても良い。この場合、携帯通信端末１００の機種を変更した場合に、サーバ装置２００がプロフィール情報を記憶しているため、再度の入力を行う必要が無くなる。
【００３２】
なお、本実施形態では、ユーザが新たなコンテンツを取得するためにコンテンツ推薦システムを使用する場合を説明したが、これに限られない。例えば、携帯通信端末１００の初回起動時に上述したステップＳ１〜ステップＳ１１の動作を行う。携帯通信端末１００の受信部１０６は、ステップＳ１１で一覧情報を受信すると、コンテンツ記憶部１０８から、受信した一覧情報に含まれないコンテンツを削除する。受信部１０６がコンテンツ記憶部１０８からコンテンツを削除すると、送信部１０３は、受信した一覧情報に含まれ、かつコンテンツ記憶部１０８が記憶していないコンテンツを示す選択情報をサーバ装置２００に送信する。サーバ装置２００の送信部２０７は、選択情報が示すコンテンツを携帯通信端末１００に送信し、携帯通信端末１００の受信部１０６は、コンテンツ記憶部１０８に受信したコンテンツを登録する。
これにより、携帯通信端末１００は、ユーザのプロフィール情報に合致するコンテンツを予め搭載することができる。
【００３３】
また、本実施形態では、サーバ装置２００が頻出パターン抽出によってコンテンツを決定する場合を説明したが、これに限られず、例えば、予めプロフィール情報に含まれる属性要素とコンテンツとのパターンを用意しておき、当該パターンに合致するコンテンツを携帯通信端末１００に送信しても良い。
【００３４】
また、本実施形態では、サーバ装置２００がステップＳ１７でコンテンツを送信した際に、携帯通信端末１００のプロフィール情報と、送信したコンテンツの情報とを関連付けてマイニング情報記憶部２０２に登録する場合を説明したが、マイニング情報記憶部２０２への情報の追加方法はこれに限られない。
例えば、当該コンテンツ推薦システムを用いずにユーザがＷＥＢサイトからコンテンツをダウンロードした場合に、携帯通信端末１００がプロフィール情報とダウンロードしたコンテンツの情報との組み合わせの情報をサーバ装置２００に送信し、サーバ装置２００が、携帯通信端末１００から受信した組み合わせの情報を関連付けてマイニング情報記憶部２０２に登録しても良い。これにより、ユーザが能動的に取得したコンテンツの情報をマイニング情報記憶部２０２に登録することができる。
【００３５】
上述の携帯通信端末１００及びサーバ装置２００は、内部にコンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３７】
１００…携帯通信端末  １０１…入力部  １０２…プロフィール記憶部  １０３…送信部  １０４…キャラクター生成部  １０５…キャラクター記憶部  １０６…受信部  １０７…表示部  １０８…コンテンツ記憶部  ２００…サーバ装置  ２０１…受信部  ２０２…マイニング情報記憶部  ２０３…パターン抽出部  ２０４…コンテンツ記憶部  ２０５…取得部  ２０６…一覧生成部  ２０７…送信部
【図１】
2010204738.tif 000003
【図２】
2010204738.tif 000004